(57)【要約】【課題】  連続撮影された写真フイルムから見やすい動画データを作成してユーザーに提供する。【解決手段】  現像取扱店３は、連写用レンズ付きフイルムユニット４や連写用カメラ、一眼レフカメラ等で連写された写真フイルムをユーザー２から預かり、現像及びプリント処理を行なう。そして、ユーザー２の動画作成依頼に応じて、ネガフイルムをフイルムスキャナー２０で読み取って複数の静止画データを作成し、これらの静止画データからＧＩＦアニメーションの動画データを作成する。作成した動画データは、通信回線を利用してユーザー２のパーソナルコンピュータ２８に直接送信される。また、ユーザー２がアクセスすることのできる外部のサーバー６にアップロードすることもできる。【選択図】        図１
2005100066.tif 000002
【特許請求の範囲】
【請求項１】
連続撮影された写真フイルムをユーザーから受け取り、写真フイルムを光電的に読み取って複数のデジタルの静止画データを作成し、これらの静止画データから動画データを作成し、この動画データを通信回線を利用してユーザーに納品することを特徴とする動画データの提供方法。
【請求項２】
前記写真フイルムは、写真フイルムの１コマを複数区画に分割した分割コマに対して、短い時間間隔で順次に撮影を行なう連写用レンズ付きフイルムユニット、又は連写用カメラによって撮影された写真フイルムであることを特徴とする請求項１記載の動画データの提供方法。
【請求項３】
連続撮影された写真フイルムを光電的に読み取って複数のデジタルの静止画データを作成し、これらの静止画データから動画データを作成する動画データの作成方法において、前記静止画データの作成時に、写真フイルムに予め写し込まれた位置決めマークを利用して、読み取る範囲が決定されることを特徴とする動画データの作成方法。
【請求項４】
連続撮影された写真フイルムを光電的に読み取って複数のデジタルの静止画データを作成し、これらの静止画データから動画データを作成する動画データの作成方法において、前記動画データの作成前に、各静止画データの画像の位置を調整することを特徴とする動画データの作成方法。
【請求項５】
前記静止画データの画像の位置調整は、全ての静止画データの画像の中に共通して存在する特徴的なエッジ部分を基準位置として検出し、この基準位置に合わせて各静止画データの位置を調整することを特徴とする請求項４記載の動画データの作成方法。
【請求項６】
前記静止画データの画像の位置調整は、各静止画データの画像の中から特徴のあるエッジ部分を基準位置として指定し、時系列的に隣接する静止画データ間で基準位置に合わせて静止画データの位置を調整することを特徴とする請求項４記載の動画データの作成方法。
【請求項７】
請求項３記載の連続撮影された写真フイルムは、写真フイルムの１コマを複数区画に分割した分割コマに対して、短い時間間隔で順次に撮影を行なう連写用レンズ付きフイルムユニットによって撮影された写真フイルムであって、
該連写用レンズ付きフイルムユニットの製造時に装填される写真フイルムの各分割コマに、静止画データ作成時の読取範囲を示す基準マークを潜像として写し込んだことを特徴とする連写用レンズ付きフイルムユニット。
【発明の詳細な説明】
【技術分野】
【０００１】
本発明は、動画データの提供方法及び作成方法、及び連写用レンズ付きフイルムユニットに関し、更に詳しくは、連続撮影された写真フイルムから動画データを作成してユーザーに提供する方法と、動画データを作成する方法と、動画データの作成に用いる写真フイルムを得ることのできるレンズ付きフイルムユニットとに関するものである。
【背景技術】
【０００２】
固体撮像装置によって被写体を撮像し、被写体画像をデジタルデータ化した画像データを半導体メモリに記憶するデジタルカメラが普及している。また、固体撮像装置と半導体メモリとを組み込むことで手軽に撮影を行なえるようにした携帯電話や、電子手帳等の小型電子機器も普及している。これらのデジタルカメラや、カメラ機能付き携帯電話には、静止画だけではなく、動画の撮影を行なう機能も設けられている。デジタルカメラやカメラ機能付き携帯電話によって、気軽に動画が撮影できるようになったことから、動画の持つ楽しさがユーザーに広く認知され始めている。
【０００３】
また、パーソナルコンピュータで取り扱うことができる動画データとして、ＧＩＦ(Graphics Interchange Format) アニメーションが知られている。このＧＩＦアニメーションは、連続した動きの静止画データをフォーマットに従って一つにまとめたものであり、データ量が少ないことからインターネット上のホームページ等で広く用いられている。また、連続撮影機能と、この連続撮影した静止画データからＧＩＦアニメーションを作成する機能とを設けたデジタルカメラが発明されている（例えば、特許文献１参照）。
【０００４】
銀塩フイルムを使用するカメラにおいても、連続写真を得ることのできる連写用カメラ（例えば、特許文献２参照）や、連写用レンズ付きフイルムユニット（例えば、特許文献３参照）が販売されていた。これらの連写用撮影装置は、写真フイルムの１コマを複数区画に分割した分割コマに対して、短い時間間隔で順次に撮影を行なうようにしたものである。各分割コマのサイズは小さくなるものの、８分割や１６分割の連続写真を１コマ又は２コマで撮影することができるという利点がある。また、一眼レフカメラやコンパクトカメラには、短い撮影間隔で複数コマの撮影を連続して行なうことのできる連続撮影機能を備えたものが多数存在している。
【０００５】
近年の動画の普及に伴い、連写カメラや連写レンズ付きフイルムユニット等で撮影した連続写真から動画データを作成することが望まれている。この動画データは、ネガフイルムやプリント写真を読み取ってデジタルの静止画データを作成するスキャナーと、読み取った静止画データからＧＩＦアニメーションを作成するプログラムと、このプログラムを動作させるパーソナルコンピュータと、これらを操作するだけの技能とが揃えば、一般的なユーザーであっても作成することができる。
【０００６】
【特許文献１】特開２０００−０９２４３７号公報
【特許文献２】特開平０８−０６９０２８号公報
【特許文献３】特開平０８−２９２４７１号公報
【発明の開示】
【発明が解決しようとする課題】
【０００７】
しかしながら、連続撮影された写真フイルムから動画データを作成するためだけに、上記装置を用意したり、これらの装置を操作できるだけの技能を得るには費用と時間とがかかりすぎる。また、連写用カメラや連写用レンズ付きフイルムユニットで撮影された写真フイルムから動画データを作成する場合には、パララックスや撮影レンズの歪曲収差等によって、各分割コマの画像の位置が僅かに異なっている。このような写真フイルムから動画データを作成しても、再生時に背景が揺れ動いて非常に見にくいものとなる。
【０００８】
本発明は、上記要望を解決するためのもので、連続撮影された写真フイルムから見やすい動画データを作成してユーザーに提供することを目的とする。
【課題を解決するための手段】
【０００９】
上記課題を解決するために、本発明の動画データの提供方法は、連続撮影された写真フイルムをユーザーから受け取り、写真フイルムを光電的に読み取って複数のデジタルの静止画データを作成し、これらの静止画データから動画データを作成し、この動画データを通信回線を利用してユーザーに納品するようにしたものである。また、連写用レンズ付きフイルムユニットや連写用カメラによって撮影された写真フイルムから動画データを作成してユーザーに提供するようにしたものである。
【００１０】
更に、本発明の動画データの作成方法は、静止画データの作成時に、写真フイルムに予め写し込まれた位置決めマークを利用して、光電的に読み取る範囲を決定するようにしたものである。
【００１１】
また、動画データの作成前に、各静止画データの画像の位置を調整するようにしたものである。静止画データの画像の位置調整としては、全ての静止画データの画像の中に共通して存在する特徴的なエッジ部分を基準位置として検出し、この基準位置に合わせて各静止画データの位置を調整するようにしたものである。また、各静止画データの画像の中から特徴のあるエッジ部分を基準位置として検出し、時系列的に隣接する静止画データ間で基準位置に合わせて静止画データの位置を調整するようにしたものである。
【００１２】
更に、連写用レンズ付きフイルムユニットの製造時に装填される写真フイルムの各分割コマに、静止画データ作成時の読取範囲を示す基準マークを潜像として写し込んだものである。
【発明の効果】
【００１３】
本発明の動画データの提供方法によれば、動画データの作成サービスをユーザーに対して手軽に提供することができる。また、作成した動画データを通信回線を利用してユーザーに送信するようにしたので、納品用の記録メディア分のコストを削減することができ、ユーザーは受信した動画データをすぐに再生して楽しむことができる。また、連写用カメラや連写用レンズ付きフイルムユニットによって撮影された写真フイルムからも動画データを作成して、ユーザーに提供することができる。
【００１４】
更に、写真フイルムに予め写し込まれた位置決めマークを利用して光電的に読み取る範囲を決定するようにしたので、連写用カメラや連写用レンズ付きフイルムユニットで撮影された写真フイルムの各分割コマの画像をパララックス等の悪影響を受けることなく位置合わせすることができる。
【００１５】
また、動画データの作成前に、各静止画データの画像の位置を調整するようにしたので、作成された動画データが揺れ動いて見にくいものになることはない。更に、静止画データの位置合わせには、全ての静止画データの画像の中に共通して存在する特徴的なエッジ部分を基準位置として検出し、この基準位置に合わせて各静止画データの位置を調整するようにしたので、背景の画像があまり変化しない静止画データの位置合わせには最適である。また、各静止画データの画像の中から特徴のあるエッジ部分を基準位置として検出し、時系列的に隣接する静止画データ間で基準位置に合わせて静止画データの位置を調整するようにしたので、背景が変化する写真フイルムであっても見やすい動画を作成することができる。
【００１６】
更に、連写用レンズ付きフイルムユニットの写真フイルムの各分割コマに、静止画データ作成時の読取範囲を示す基準マークを潜像として写し込んだので、連写用レンズ付きフイルムユニットで撮影した連続写真から作成された静止画データの位置合わせが、簡単に行なえるようになる。
【発明を実施するための最良の形態】
【００１７】
図１は、本発明の動画データの提供方法を表す概念図であり、概ね、図中に示すかっこ付き数字の順に従って動画データの提供が行なわれる。ユーザー２は、現像取扱店３等から連写用レンズ付きフイルムユニット４を購入（１）して、連続撮影を行なう（２）。また、連写用カメラや、連続撮影機能付きのカメラ等を所有している場合には、フイルムパトローネ５を購入して（１）カメラに装填し、連続撮影を行なう（２）。撮影を終えたユーザー２は、連写用レンズ付きフイルムユニット４、又はフイルムパトローネ５を現像取扱店３に渡し、同時プリントとともに動画データの作成を依頼する（３）。
【００１８】
現像取扱店３では、ユーザー２から渡されたフイルムパトローネから写真フイルムを引き出して現像処理及びプリント処理を行なう（４）。次いで、ネガフイルムから複数の静止画データが作成され、これらの静止画データから動画データが作成される（５）。ネガフイルム及びプリント写真はユーザーに直接納品される（６）。動画データは、通信回線を利用してユーザー２に直接送信されるか、又はユーザー２がアクセス可能なサーバー６にアップロードされる（７）。
【００１９】
図２に示すように、連写用レンズ付きフイルムユニット４の前面には、写真フイルムの１コマ分の撮影範囲内に対面するように、８個の撮影レンズ８ａ〜８ｈがマトリクス状に配列されている。各撮影レンズ８ａ〜８ｈの背後には、シャッタボタン９の押下に連動して、短い時間間隔で順次に開閉されているシャッタ機構が組み込まれている。
【００２０】
図３は、連写用レンズ付きフイルムユニット４で撮影が行なわれ、現像されたネガフイルム１１である。ネガフイルム１１は、１コマ分の撮影スペース１２が８個の分割コマ１３ａ〜１３ｈに区切られ、各分割コマ１３ａ〜１３ｈには連続的な動きの画像が写し込まれている。また、各分割コマ１３ａ〜１３ｈには、略対角線上に配置された２点の位置決めマーク１４が設けられている。この位置決めマーク１４は、連写用レンズ付きフイルムユニット４の製造時に、装填前の写真フイルムに対して潜像として写し込まれたものである。
【００２１】
詳しくは図示しないが、連写用カメラで撮影されたネガフイルムも、連写用レンズ付きフイルムユニット４で撮影されたネガフィルム１１と同様に、１コマ分の撮影スペース内に８個の分割コマが写し込まれている。しかし、連写用カメラに装填されるフイルムパトローネは、通常のカメラに使用されるフイルムパトローネと同じものであるため、位置決めマークは写し込まれていない。また、１願レフカメラやコンパクトカメラなどで連続撮影されたネガフイルム１６には、図４に示すように、複数コマ１７ａ〜１７ｎに渡って動きのある画像が写し込まれている。
【００２２】
現像取扱店３には、ネガフイルムの画像を光電的に読み取るフイルムスキャナー２０と、このフイルムスキャナー２０で読み取った画像を静止画データとして記憶するパーソナルコンピュータ２１とが用意されている。パーソナルコンピュータ２１には、複数の静止画データからＧＩＦアニメーション形式の動画データを作成する動画作成プログラムがインストールされている。また、パーソナルコンピュータ２１は、ｘＤＳＬ等の高速な通信回線によってインターネット等の広域ネットワークに接続されている。
【００２３】
図５は、連写用レンズ付きフイルムユニット４で撮影されたネガフイルム１１から動画データを作成する際の手順を示すフローチャートである。現像取扱店３の作業者は、ネガフイルム１１をフイルムスキャナー２０で読み取る時には、図６に示すように、各分割コマ１３の位置決めマーク１４から水平方向及び垂直方向に延ばした仮想線２３で囲まれた範囲内を読み取り、複数の静止画データを作成する。
【００２４】
連写用レンズ付きフイルムユニット４では、対角線上の撮影レンズ、例えば撮影レンズ８ａと８ｈとの距離が離れているため、パララックスによって対角線上の分割コマ１３の撮影画像がずれてしまう。そのため、分割コマ１３の枠線を基準にして読取範囲を確定すると、作成された動画データは、背景が揺れ動いて非常に見にくいものとなる。しかしながら、本実施形態では、静止画データの作成時に、ネガフイルム１１に予め写し込まれている位置決めマーク１４を基準にして読取範囲を確定したので、各分割コマ１３間での画像の位置ずれは発生しない。よって、再生した動画データの背景が揺れ動くようなことはない。
【００２５】
現像取扱店３の作業者は、パーソナルコンピュータ２１の動画作成プログラムを起動させ、動画にする静止画データを指定してＧＩＦアニメーションの動画データを作成する。図７に概念的に示すように、現像取扱店３で作成された動画データ２５は、８枚の静止画データ２６ａ〜２６ｈを撮影順に並べて一つのファイルにまとめたものである。この動画データ２５はおよそ１秒程度の長さとなり、パーソナルコンピュータで再生すると、モニタ上に静止画が順番に表示され、この表示が瞬時に切り換えられることによって、連続撮影された静止画がアニメーションのように動いて見える。
【００２６】
次に、連写用カメラや、一眼レフカメラ又はコンパクトカメラ等の連続撮影機能で撮影されたネガフイルムから動画データを作成する手順について、図８のフローチャートを参照しながら説明する。連写用カメラや、一眼レフカメラ又はコンパクトカメラで撮影されたネガフイルムには、位置決めマークは存在しない。この場合には、読取範囲を決めずにネガフイルムの全範囲をフイルムスキャナー２０で読み取って静止画データを作成し、その後に各静止画データの位置合わせを行なう。
【００２７】
パーソナルコンピュータ２１の動画作成プログラムによって静止画データを読み込むと、パーソナルコンピュータ２１のモニタ上には、図９に示すように、連写用カメラのネガフイルムから作成された第１コマ〜第８コマの静止画データの画像３０ａ〜３０ｈが表示される。現像取扱店３の作業者は、マウス等のポインティングデバイスを操作してモニタ上のカーソル３１を移動させ、１コマ目の画像３０ａの中から基準位置として使用可能なＬ字又は十字形状のエッジ部分、例えば符号３２で示すエッジ部分を選択する。このエッジとしては、主要な被写体の背後にあって、各コマの間での変化が少ない背景から選択するとよい。
【００２８】
次いで、動画作成プログラムの自動エッジ検出機能を使用して、画像３０ａで選択されたエッジ部分３２に相当するエッジ部分を画像３０ｂ〜３０ｈから自動的に検出させる。第１コマから第８コマまでの画像の背景に大きな変化がない場合、すなわち撮影時に連写カメラが動いていない場合には、各コマの画像３０ａ〜３０ｈのほぼ同じ位置には同じエッジ部分３２が写っている。そのため、自動エッジ検出機能によって各画像３０ａ〜３０ｈからエッジ部分３２が検出され、基準位置として自動的に設定される。
【００２９】
各画像３０ａ〜３０ｈの基準位置の設定後に、動画作成プログラムで動画作成操作を行なうと、先に選択したエッジ部分を基準にして各静止画データに位置調整とトリミングとが行なわれ、動画データが作成される。これにより、背景が揺れ動くことのない、見やすい動画データを作成することができる。
【００３０】
現像取扱店３で作成されたネガフイルムとプリント写真は、現像取扱店３まで訪れたユーザーに直接納品される。動画データは、僅か数十ＫＢ程度のデータ容量しかない。そのため、例えば、２４枚撮りの写真フイルムの全てのコマから動画データを作成しても、そのデータ容量は１．５ＭＢ強程度にしかならない。小容量のデータをユーザーに納品するには、小容量で安価なフレキシブルディスク等の使用が適しているが、撮影枚数が多い場合などには容量が僅かに足りない。また、最近のパーソナルコンピュータにはフレキシブルディスクドライブを搭載していないものも多く存在するため、記憶メディアの互換性という点で問題がある。ＣＤ−Ｒ等に記録して納品することもできるが、動画データの容量と比較するとその記憶容量は大きすぎ、コスト高である。
【００３１】
そこで、本願発明では、作成した動画データをユーザー２のパーソナルコンピュータ２８に送信して納品するようにした。これにより、動画データの納品にかかるコストを大幅に削減することができる。また、ユーザー２は、動画データが記録された記録メディアをパーソナルコンピュータ２８で読み取る手間をかけずに、すぐに動画データを再生して観察することができる。
【００３２】
また、図１０の画像３４ａ〜３４ｈに示すように、背景が大きく変化している場合、すなわち撮影中に連写カメラが動いている場合には、全コマのほぼ同じ位置に共通のエッジ部分が存在しないことがある。この場合には、マウスなどでカーソル３１を操作して、手動で各コマのエッジ部分を基準位置として選択することになる。例えば、第１コマ３４ａ〜第４コマ３４ｄでは、符号３６で示すエッジ部分を使用し、第４コマ３６ｄ〜第６コマ３６ｆでは符号３７で示すエッジ部分を使用し、第６コマ３４ｆ，第７コマ３４ｇでは符号３８のエッジ部分を使用し、第７コマ３４ｇ，第８コマ３４ｈでは符号３９のエッジ部分を使用する。
【００３３】
このように、基準位置となるエッジ部分を手動で設定して、動画作成プログラムで動画作成操作を行なうと、時系列的に隣接する画像間で位置調整及びトリミングが行なわれ、動画データが作成される。これにより、背景が大きく動く動画であっても見やすいものとなる。
【００３４】
なお、動画データをユーザー２に直接送信せずに、外部のサーバー６にアップロードすることもできる。この場合、ユーザー２はインターネットによってサーバー６にアクセスし、現像取扱店３から教えられたユーザーＩＤ及びパスワードを使用して専用のディレクトリ等を開き、自分の動画データを観察したり、自身のパーソナルコンピュータに動画データをダウンロードすることになる。これによれば、現像取扱店３から各ユーザーに動画データを送信する際に、誤って違う顧客の動画データを送信してしまうというミスを防止することができる。
【００３５】
なお、上記実施形態では、連写用レンズ付きフイルムユニット及び連写用カメラで撮影されたネガフイルムから動画データを作成して納品する例を説明したが、連続撮影機能を有するコンパクトカメラや１願レフカメラで撮影したネガフイルムからも動画データを作成することができる。また、同時プリントと同時に動画データの作成を請けおうようにしたが、すでに現像済みのネガフイルムを現像取扱店に持ち込んで、動画データの作成を依頼することもできる。更に、ネガフイルムから動画データを作成するようにしたが、プリント写真から動画データを作成することもできる。
【図面の簡単な説明】
【００３６】
【図１】動画データの提供方法を概念的に示す説明図である。
【図２】連写用レンズ付きフイルムユニットの外観斜視図である。
【図３】連写用レンズ付きフイルムユニットで撮影されたネガフイルムの平面図である。
【図４】通常のカメラで連続撮影されたネガフイルムの説明図である。
【図５】連写用レンズ付きフイルムユニットのネガフイルムから動画データを作成する手順を示すフローチャートである。
【図６】連写用レンズ付きフイルムユニットのネガフイルムをスキャンする際の範囲を示す説明図である。
【図７】動画データの構成を概念的に示す説明図である。
【図８】連写用レンズ付きフイルムユニット以外で撮影されたネガフイルムから動画データを作成する手順を示すフローチャートである。
【図９】連写用カメラを固定して撮影されたネガフイルムから作成された静止画データの画像を示す説明図である。
【図１０】連写用カメラを動かしながら撮影されたネガフイルムから作成された静止画データの画像を示す説明図である。
【符号の説明】
【００３７】
２  ユーザー
３  現像取扱店
４  連写用レンズ付きフイルムユニット
５  フィルムパトローネ
６  サーバー
１１，１６  ネガフィルム
１４  位置決めマーク
２５  動画データ
【図１】
2005100066.tif 000003
【図２】
2005100066.tif 000004
【図３】
2005100066.tif 000005
【図４】
2005100066.tif 000006
【図５】
2005100066.tif 000007
【図６】
2005100066.tif 000008
【図７】
2005100066.tif 000009
【図８】
2005100066.tif 000010
【図９】
2005100066.tif 000011
【図１０】
2005100066.tif 000012